Podtech/llm-jp-corpus-v4-ja_patent huggingface dataset:
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
式I
[(L-D)nE]m-F-D-PI-SI-CT                   (式I)
の環状ペプチド
(式中、
Lは、式II
c(R1-Arg-Gly-Asp-R2)                      (式II)
の認識α-インテグリン受容体環状ペプチドであり、
R1は、Amp、Lys、またはAadであり;
R2は、R配置を有するPhe、Tyr、またはAmpであり;
Dは、出現するごとに、同じにしもしくは異ならせることができ、不在または式III
-SP1-A1-SP2-A2-SP3-                        (式III)
の2価の基であり、
SP1は、不在またはR3-(CH2)q-(OCH2-CH2)q-O-(CH2)q-R4であり;
同じまたは異なるR3及びR4は、不在または-CO-、-COO-、-NH-、-O-、もしくは式IV、式VIII、もしくは式IXの2価の基であり、
【化１】
2011523415.tif 000001
qは、出現するごとに、同じにしまたは異ならせることができ、独立して0〜6の間を含めた整数であり;
A1は、不在または、親水性側鎖を保持する天然のもしくは非天然の(L)もしくは(D)-アミノ酸であり;
SP2は、不在またはSP1と同じであり;
A2は、不在またはA1と同じであり;
SP3は、不在またはSP1と同じであり;
m=1または2であり;
n=1または2であり;
Eは、出現するごとに、同じにしまたは異ならせることができ、Glu、Lysまたは不在であり;
Fは、Eと同じ、または不在もしくは式Xのヒスチジン類似体であり;
【化２】
2011523415.tif 000002
但し、トリアゾール環は、D-PI-SI-CT部分に結合しており、カルボニル部分はL含有部分に結合しており、SP1は上記にて定義された通りであり;
PIは、Ala及びCitの間で選択された(L)または(D)アミノ酸で作られている、天然または非天然のオリゴペプチドであり;
SIは、2価の基p-アミノベンジルオキシカルボニルであり;
CTは、細胞毒性基を表す);
それらの互変異性体、それらの幾何異性体、それらの鏡像異性体、ジアステレオマーなどの光学的に活性な形、及びそれらのラセミ体、ならびにそれらの医薬品として許容される塩(但し:
少なくとも1個のDが存在すべきであり;
Eが存在する場合には、EがLysであるときにはそのアミノ部分を通して、またはEがGluであるときにはそのカルボキシル部分を通して、L基を保持する部分に結合されていることを条件とする)。
【請求項２】
CTがカムプトテシン誘導体であり、R1がAmpまたはAadであり、R2がPhe、Amp、またはTyrから選択される、請求項１に記載の環状ペプチド。
【請求項３】
m=1及びn=1である、請求項１または２に記載の環状ペプチド。
【請求項４】
m=1及びn=2である、請求項１または２に記載の環状ペプチド。
【請求項５】
薬品としての、インテグリンαvβ3及びαvβ5阻害特性が与えられた、請求項１〜４のいずれか一項に記載の環状ペプチドの使用。
【請求項６】
1μM未満のインテグリンIC50を有する、請求項５に記載の環状ペプチドの使用。
【請求項７】
医薬品として許容される少なくとも1種の添加物及び/またはビヒクルとの混合物中の活性成分として、請求項１〜４のいずれか一項に記載の少なくとも1種の環状ペプチドを含有する医薬品組成物。
【請求項８】
式Vの化合物
(CT-SI-PI)-NH2                            (式V)
(式中、CT、SI、及びPIは、上述の通りである)
と、式VIのアジド含有誘導体
L-(SP1-A1-SP2-A2-SP3)-N3                    (式VI)
(式中、L、SP1、A1、SP2、A2、及びSP3は上述の通りであり、R4はCOであり、CT、SI、及びPIは上述の通りである)
とを反応させることによる、請求項１〜３のいずれか一項に記載の環状ペプチドを合成するための方法。
【請求項９】
式VIIの化合物
(CT-SI-PI)-CO-C≡CH                        (式VII)
(式中、CT、SI、及びPIは、上述の通りである)
と、式VIの化合物
(式中、式VIの化合物中のL、SP1、A1、SP2、A2、及びSP3は上述の通りであり、但しR4は存在しないことを条件とする)
とを反応させることによる、請求項１〜３のいずれか一項に記載の環状ペプチドを合成するための方法。
【請求項１０】
式XIの化合物
(CT-SI-PI)-D-NHCH2-C≡CH                    (式XI)
(式中、CT、SI、PI、及びDは、上述の通りである)
と、式XIIの化合物
[(L-D)nE]m-COCH2-N3                          (式XII)
(式中、L、D、及びEは、上述の通りである)
とを反応させることによる、請求項１または２または４のいずれか一項に記載の環状ペプチドを合成するための方法。
【請求項１１】
式XIIIの化合物
(CT-SI-PI)-D-N3                              (式XIII)
(式中、CT、SI、PI、及びDは、上述の通りである)
と、式XIVの化合物
[(L-D)nE]m-CO-CH(NHD)CH2-C≡CH                (式XIV)
(式中、L、D、及びEは、上述の通りである)
とを反応させることによる、請求項１または２または４のいずれか一項に記載の環状ペプチドを合成するための方法。
【請求項１２】
癌を治療するための、請求項７に記載の医薬品組成物。
【請求項１３】
制御されない細胞増殖、浸潤、及び/または転移状態に罹患している哺乳類を治療するための、請求項７に記載の医薬品組成物。
【請求項１４】
前記状態が卵巣または前立腺癌である、請求項１３に記載の医薬品組成物。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
保護膜がエレクトログラフィーによって印刷することができ、シリコーン油剥離液を用いる溶融器ローラーとともに使用されるデジタル印刷用保護トナーであって、少なくとも６０℃のガラス転移温度を有するトナーバインダー及びトナーの重量に対して０．５〜５重量％のエチレン-ビス-ステアラミドを含有し、２０００以上の重量平均分子量と２．０未満の多分散性を有するオレフィン性物質をさらに含有する該保護トナー。
【請求項２】
トナーが着色剤を含有しない請求項１記載のトナー。
【請求項３】
受像要素上に沈着された保護トナー膜とマーキングトナーから形成された画像を含むエレクトログラフィープリントであって、i）該マーキングトナーが第１ガラス転移温度を有するトナーバインダーを含有し、ii）該保護トナー膜が、マーキングトナーのバインダーのガラス転移温度よりも高い第２ガラス転移温度を有するトナーバインダー及びiii）該保護トナーの重量に基づいて０．５〜５重量％のエチレン-ビス-ステアラミドを含有し、該画像がシリコーン油剥離液を用いる溶融器ローラーを使用して固定されている該エレクトログラフィープリント。
【請求項４】
i）マーキングトナーが、６０℃未満のガラス転移温度を有するトナーバインダーを含有し、ii）保護トナー膜が、少なくとも６０℃のガラス転移温度を有するトナーバインダーを含有する請求項３記載のプリント。
【請求項５】
下記の工程i）〜iii）：
i）６０℃未満のガラス転移温度を有するトナーバインダーを含有するマーキングトナーを使用するエレクトログラフィーによって、所望のプリント画像を受像要素上に形成させる工程、
ii）保護トナーであって、少なくとも６０℃のガラス転移温度を有するトナーバインダー及び該保護トナーの重量に基づいて０．５〜５重量％のエチレン-ビス-ステアラミドを含有する該保護トナーを使用するエレクトログラフィーによって、該プリント画像上に保護膜を形成させる工程、次いで
iii）ブロッキングに対する保護が要求される該プリント画像の領域内のトナーを固定させる工程：
を含み、トナーを固定する工程を、シリコーン油剥離液を用いる溶融器ローラーを使用しておこなう、保護トナー膜を有する画像のエレクトログラフィー印刷法。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
基本ガラス管であって、当該基本ガラス管を通して光が透過し、電力プラグ及び電力ソケットそれぞれが設けられた２つの封止端部を有する、基本ガラス管と、
前記基本ガラス管内に配置された少なくとも１つのＬＥＤ光放射ベースプレートであって、当該ＬＥＤ光放射ベースプレートが前記電力プラグ及び前記電力ソケットによって給電され、光を放射するための複数のＬＥＤチップが当該ＬＥＤ光放射ベースプレートの一面に取り付けられ、前記ＬＥＤチップの本体部が微結晶ＬＥＤチップから形成されており、前記ＬＥＤチップのＰＮ接合部が、まずそれぞれ直列に接続され、そしてリードによって並列に接続されており、アノードリード端子及びカソードリード端子を形成し、当該ＬＥＤ光放射ベースプレートが、ストリップとして形付けられ、広帯域放射を有する２発光体の組合せをさらに有する、ＬＥＤ光放射ベースプレートと、
少なくとも１つの前記ＬＥＤ光放射ベースプレートを前記基本ガラス管の内部チャンバに取り付ける複数の取付支持部であって、複数の当該取付支持部が金属で形成されている、複数の取付支持部と、
前記基本ガラス管に取り付けられ、少なくとも１つの前記ＬＥＤ光放射ベースプレートから放射された光を前記基本ガラス管の外側に反射する反射器と、
を備え、
前記ＬＥＤチップの前記ＰＮ接合部が、複数の前記取付支持部を介して多数の点において前記反射器と接触することを特徴とする管状基本ＬＥＤ。
【請求項２】
前記基本ガラス管が、多結晶アルミナ管、石英ガラス管、バイコーガラス管、ホウケイ酸ガラス管、微結晶ガラス管またはありふれたソーダ石灰ガラス管のうちの１つであることを特徴とする請求項１に記載の管状基本ＬＥＤ。
【請求項３】
前記電力プラグと前記電力ソケットとが、互いに相補的であり、
２以上の当該管状基本ＬＥＤが、前記電力プラグ及び前記電力ソケットを介して互いに接続されることを特徴とする請求項１に記載の管状基本ＬＥＤ。
【請求項４】
前記電力プラグと前記電力ソケットとが、互いに相補的なピンプラグ及びピンソケットであることを特徴とする請求項１に記載の管状基本ＬＥＤ。
【請求項５】
前記基本ガラス管が、０．５ｍｍから２６．５ｍｍの範囲の直径、０．１５ｍｍから１．５ｍｍの範囲の壁厚及び７ｍｍから４８０ｍｍの範囲の長さを有することを特徴とする請求項１に記載の管状基本ＬＥＤ。
【請求項６】
前記ＬＥＤ光放射ベースプレートが、６ｍｍから４７０ｍｍの範囲の長さ、０．２５ｍｍから２４ｍｍの範囲の幅及び０．１ｍｍから１．５ｍｍの範囲の厚さを有することを特徴とする請求項５に記載の管状基本ＬＥＤ。
【請求項７】
前記ＬＥＤ光放射ベースプレートが、半透過性多結晶アルミナプレートまたは石英ガラスプレートで形成されていることを特徴とする請求項１の管状基本ＬＥＤ。
【請求項８】
前記微結晶ＬＥＤチップが、１０μｍから５０μｍの範囲の直径を有することを特徴とする請求項１に記載の管状基本ＬＥＤ。
【請求項９】
前記反射器が、前記基本ガラス管の管状壁部に被覆されたフィルムタイプの金属反射器、または、前記基本ガラス管の管状壁部の内面または外面に組み込まれたプレートタイプの金属反射器、である、または、
前記反射器が、誘電体フィルムであることを特徴とする請求項１に記載の管状基本ＬＥＤ。
【請求項１０】
前記金属反射器が、アルミニウムであり、
前記誘電体フィルムが、硫化亜鉛及び一酸化珪素のいずれかを有するフッ化マグネシウムで形成されていることを特徴とする請求項９に記載の管状基本ＬＥＤ。
【請求項１１】
前記基本ガラス管の約半分には、前記反射器が取り付けられていることを特徴とする請求項２に記載の管状基本ＬＥＤ。
【請求項１２】
前記反射器が、互いに挿入されかつ互いに電気的に絶縁している２つの櫛状金属部品を備えることを特徴とする請求項１に記載の管状基本ＬＥＤ。
【請求項１３】
少なくとも１つの前記ＬＥＤ光放射ベースプレートが、２つの前記ＬＥＤ光放射ベースプレートを備えることを特徴とする請求項１に記載の管状基本ＬＥＤ。
【請求項１４】
２つの前記ＬＥＤ光放射ベースプレートが、前記基本ガラス管の軸に沿って対称に配置されており、
それぞれ前記ＬＥＤチップが取り付けられた２つの前記ＬＥＤ光放射ベースプレートの２面から延在する２つの面間の所定角度が、９０°より大きいことを特徴とする請求項１３に記載の管状基本ＬＥＤ。
【請求項１５】
少なくとも１つの前記ＬＥＤ光放射ベースプレートが、３つの前記ＬＥＤ光放射ベースプレートを備えることを特徴とする請求項１に記載の管状基本ＬＥＤ。
【請求項１６】
３つの前記ＬＥＤ光放射ベースプレートそれぞれの平面が、三角形プリズムを形成するように交差し、
前記ＬＥＤチップが取り付けられる３つの前記ＬＥＤ光放射ベースプレートの表面それぞれが、三角形プリズムの外面であることを特徴とする請求項１５に記載の管状基本ＬＥＤ。
【請求項１７】
前記ＬＥＤ光放射ベースプレートのうちの２つの前記ＬＥＤ光放射ベースプレートが、３番目の前記ＬＥＤ光放射ベースプレートの平面に関して対称であることを特徴とする請求項１５に記載の管状基本ＬＥＤ。
【請求項１８】
複数の前記取付支持部が、表面研磨されたアルミニウムで形成されていることを特徴とする請求項１に記載の管状基本ＬＥＤ。
【請求項１９】
前記基本ガラス管が、１００Ｔｏｒｒから３ａｔｍの範囲にある圧力において乾燥した窒素または不活性ガスで充填されていることを特徴とする請求項１に記載の管状基本ＬＥＤ。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
（ａ）１種類以上の被覆されたルテニウム含有成分であって、前記ルテニウム含有成分が、酸化ルテニウムおよび酸化ルテニウム水和物からなる群から選択される１種類以上の成分を含み、前記被覆が、１種類以上の酸性成分、１種類以上の塩基性成分、またはそれらの組み合わせを含む、被覆されたルテニウム含有成分と；
（ｂ）１種類以上のガラスフリットと；
（ｃ）有機ビヒクルと
を含む、組成物。
【請求項２】
被覆されたルテニウム含有成分であって、前記ルテニウム含有成分が、酸化ルテニウムおよび酸化ルテニウム水和物からなる群から選択される１種類以上の成分を含み、前記被覆が、１種類以上の酸性成分、１種類以上の塩基性成分、またはそれらの組み合わせを含む、被覆されたルテニウム含有成分。
【請求項３】
抵抗体の製造方法であって：
（ａ）ルテニウム含有成分を被覆して、被覆されたルテニウム含有成分を形成するステップであって、前記ルテニウム含有成分が、酸化ルテニウムおよび酸化ルテニウム水和物からなる群から選択される１種類以上の成分を含み、前記被覆が、１種類以上の酸性成分、１種類以上の塩基性成分、またはそれらの組み合わせを含むステップと、
（ｂ）前記被覆されたルテニウム含有成分を焼成して、被覆され、焼成されたルテニウム含有成分を形成するステップと、
（ｃ）前記被覆され、焼成されたルテニウム含有成分をガラスフリットおよび有機ビヒクルと混合してペーストを形成するステップと；
（ｄ）前記ペーストを印刷および焼成して厚膜抵抗体を形成するステップと
を含む、方法。
【請求項４】
完成した抵抗体が、（ａ）約１０ｋΩ／□〜約１０ＭΩ／□のシート抵抗、および（ｂ）約−１００ｐｐｍ／℃〜約＋１００ｐｐｍ／℃の範囲内のＴＣＲ、およびそれらの組み合わせから選択される性質を有する、請求項３に記載の方法によって形成された抵抗体。
【手続補正２】
【補正対象書類名】明細書
【補正対象項目名】００８１
【補正方法】変更
【補正の内容】
【００８１】
表２のガラス＃３０は、Ｂ2Ｏ3を有さず本発明による他のガラス組成物よりもＳｉＯ2量が多いガラスの一例である。これらの試験は、不適切なガラスを選択したことによる不適当な抵抗体配合物の例を示している（ＴＣＲが大きすぎ、統計値がより悪い値である）。ガラス＃３０（表２）は、Ｋで被覆されたＲｕＯ2導電体に適した本発明のガラス組成物の例ではない。
なお、本発明は、特許請求の範囲を含め、以下の発明を包含する。
１．（ａ）１種類以上の被覆されたルテニウム含有成分であって、前記ルテニウム含有成分が、酸化ルテニウムおよび酸化ルテニウム水和物からなる群から選択される１種類以上の成分を含み、前記被覆が、１種類以上の酸性成分、１種類以上の塩基性成分、またはそれらの組み合わせを含む、被覆されたルテニウム含有成分と；
（ｂ）１種類以上のガラスフリットと；
（ｃ）有機ビヒクルと
を含む、組成物。
２．被覆されたルテニウム含有成分であって、前記ルテニウム含有成分が、酸化ルテニウムおよび酸化ルテニウム水和物からなる群から選択される１種類以上の成分を含み、前記被覆が、１種類以上の酸性成分、１種類以上の塩基性成分、またはそれらの組み合わせを含む、被覆されたルテニウム含有成分。
３．前記酸性成分がＢ、Ｆ、Ｐ、Ｓｅ、またはそれらの組み合わせから選択され、前記塩基性成分がＬｉ、Ｎａ、Ｋ、Ｒｂ、Ｃｓ、Ｍｇ、Ｃａ、Ｓｒ、Ｂａ、またはそれらの組み合わせから選択される、１に記載の組成物。
４．前記被覆がＡｇ、Ａｌ、Ｃｕ、Ｎｂ、Ｓｉ、Ｔａ、Ｔｉ、Ｚｎ、Ｚｒ、またはそれらの組み合わせから選択される非酸性または非塩基性成分をさらに含む、１に記載の組成物。
５．前記１種類以上の被覆されたルテニウム含有成分が、前記１種類以上のルテニウム含有成分の表面上への、噴霧乾燥、インシピエントウェットネス、または沈殿によって被覆される、１に記載の組成物。
６．前記１種類以上の被覆されたルテニウム含有成分が、前記１種類以上のルテニウム含有成分の表面上への、噴霧乾燥、インシピエントウェットネス、または沈殿によって被覆される、２に記載の被覆されたルテニウム含有成分。
７．前記１種類以上のガラスフリットが実質的に無鉛である、１に記載の組成物。
８．前記１種類以上のガラスフリットがアルカリ土類酸化物を含み、前記アルカリ土類酸化物が、前記１種類以上のガラスフリットの重量を基準にして約１２重量％〜約５４重量％である、１に記載の組成物。
９．前記１種類以上のガラスフリットが、前記１種類以上のガラスフリットの重量を基準にして３〜３７重量％のＳｉＯ2、３〜１３重量％のＡｌ2Ｏ3、および１１〜３８重量％のＢ2Ｏ3からなる群から選択される１種類以上の成分をさらに含む、１に記載の組成物。
１０．前記１種類以上のガラスフリットが、アルカリ土類ホウケイ酸ガラス、アルカリ土類ホウアルミノケイ酸ガラス、またはそれらの組み合わせから選択される、１に記載の組成物。
１１．前記１種類以上のガラスフリットが、アルカリ金属およびＺｎＯからなる群から選択される１種類または複数成分を実質的に含有しない、１に記載の組成物。
１２．前記１種類以上のガラスフリットが、ＣｕＯ、ＴｉＯ2、ＳｉＯ2、ＺｒＳｉＯ4、Ｔａ2Ｏ5、Ｎｂ2Ｏ5、ＭｎＯ2、およびＡｇ2Ｏからなる群から選択される１種類の化合物をさらに含む、１に記載の組成物。
１３．抵抗体の製造方法であって：
（ａ）ルテニウム含有成分を被覆して、被覆されたルテニウム含有成分を形成するステップであって、前記ルテニウム含有成分が、酸化ルテニウムおよび酸化ルテニウム水和物からなる群から選択される１種類以上の成分を含み、前記被覆が、１種類以上の酸性成分、１種類以上の塩基性成分、またはそれらの組み合わせを含むステップと、
（ｂ）前記被覆されたルテニウム含有成分を焼成して、被覆され、焼成されたルテニウム含有成分を形成するステップと、
（ｃ）前記被覆され、焼成されたルテニウム含有成分をガラスフリットおよび有機ビヒクルと混合してペーストを形成するステップと；
（ｄ）前記ペーストを印刷および焼成して厚膜抵抗体を形成するステップと
を含む、方法。
１４．前記被覆され、焼成されたルテニウム含有成分が約５ｍ2／ｇ〜約２５ｍ2／ｇの表面積を有する、１３に記載の方法。
１５．完成した抵抗体が、（ａ）約１０ｋΩ／□〜約１０ＭΩ／□のシート抵抗、および（ｂ）約−１００ｐｐｍ／℃〜約＋１００ｐｐｍ／℃の範囲内のＴＣＲ、およびそれらの組み合わせから選択される性質を有する、１３に記載の方法によって形成された抵抗体。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
弾道物に抵抗するための防護服物品であって、
少なくとも７．３グラム／ｄｔｅｘの引張強さと少なくとも１００グラム／ｄｔｅｘのモジュラスを有する糸から織成された複数の織布層と、
ランダム配向繊維の不織シートを含んでなる複数のシート層であって、前記シート層の各々が、３〜６０重量パーセントの高分子バインダーと４０〜９７重量パーセントの非フィブリル化繊維との均一混合物を含んでなり
前記非フィブリル化繊維が、少なくとも１．８グラム／ｄｔｅｘの糸引張強さと少なくとも７５グラム／ｄｔｅｘのモジュラスを有し、前記シート層の各々が、少なくとも０．０１３ｍｍの厚みを有し、
前記織布層と前記シート層は一緒に積層され、順番に少なくとも１層の前記織布層とその上の少なくとも１層の前記シート層との繰り返し単位を少なくとも２つ含む第一芯部を構成し、および
前記シート層が、物品の総重量の０．５〜３０重量％を構成する物品。
【手続補正２】
【補正対象書類名】明細書
【補正対象項目名】００８８
【補正方法】変更
【補正の内容】
【００８８】
表２（続き）
2011523996.tif 000001
以下、本発明の態様を示す。
１．弾道物に抵抗するための防護服物品であって、
少なくとも７．３グラム／ｄｔｅｘの引張強さと少なくとも１００グラム／ｄｔｅｘのモジュラスを有する糸から織成された複数の織布層と、
ランダム配向繊維の不織シートを含んでなる複数のシート層であって、前記シート層の各々が、３〜６０重量パーセントの高分子バインダーと４０〜９７重量パーセントの非フィブリル化繊維との均一混合物を含んでなり
前記非フィブリル化繊維が、少なくとも１．８グラム／ｄｔｅｘの糸引張強さと少なくとも７５グラム／ｄｔｅｘのモジュラスを有し、前記シート層の各々が、少なくとも０．０１３ｍｍの厚みを有し、
前記織布層と前記シート層は一緒に積層され、順番に少なくとも１層の前記織布層とその上の少なくとも１層の前記シート層との繰り返し単位を少なくとも２つ含む第一芯部を構成し、および
前記シート層が、物品の総重量の０．５〜３０重量％を構成する物品。
２．前記糸が、５０〜４５００ｄｔｅｘの線密度、１０〜６５ｇ／ｄｔｅｘの引張強さ、１５０〜２７００ｇ／ｄｔｅｘのモジュラス、および１〜８パーセントの破断時伸びを有する上記１に記載の物品。
３．前記糸が、ポリアミド、ポリオレフィン、ポリアゾール、およびそれらの組み合わせからなる群から選択されるポリマーから作られるフィラメントで作製される上記１に記載の物品。
４．前記織布シートが、マトリックス樹脂で包覆も被覆もされていない上記１に記載の物品。
５．前記シート層の各々が、０．４５０ｍｍ（１８ミル）以下の厚みを有する上記１に記載の物品。
６．前記シート層の前記非フィブリル化繊維が、ポリアミド（芳香族ポリアミドを含む）、ポリスルホンアミド、ポリフェニレンスルフィド、ポリオレフィン、ポリアゾール、アクリロニトリル、ポリイミド、ガラス、炭素、グラファイトおよびそれらの組み合わせからなる群から選択される上記１に記載の物品。
７．前記シート層の前記高分子バインダーが、ポリマーフィブリドである上記１に記載の物品。
８．前記高分子バインダーが、ポリアミド（芳香族ポリアミドを含む）、ポリスルホンアミド、ポリフェニレンスルフィド、ポリオレフィン、ポリアゾール、ポリイミド、アクリロニトリル、ポリビニルアルコール、ジカルボン酸とジヒドロキシアルコールとの重縮合生成物およびそれらの組み合わせからなる群から選択される上記１に記載の物品。
９．前記シート層の各々が、少なくとも１２００ｍ／秒の平均音速を有する上記１に記載の物品。
１０．前記シート層の各々が、１〜５の最小破断点歪み値に対する最大破断点歪み値の比を有する上記１に記載の物品。
１１．前記シート層が、等方性または実質的に等方性である上記１に記載の物品。
１２．前記芯部が、３〜６０層の前記織布層と３〜６０層の前記シート層を含む上記１に記載の物品。
１３．前記芯部が、順番に、少なくとも１層の前記織布層とその上の少なくとも１層の前記シート層との繰り返し単位を少なくとも２つ含む上記１に記載の物品。
１４．前記繰り返し単位が、順番に、１層の前記織布層そして少なくとも２層の前記不織シート層を含んでなる上記１３に記載の物品。
１５．前記繰り返し単位が、順番に、少なくとも２層の前記織布層そして１層の前記シート層を含んでなる上記１３に記載の物品。
１６．３〜５０の前記繰り返し単位が存在する上記１に記載の物品。
１７．前記芯部が、第一被弾端面と身体に面する端面を有し、前記物品が、第一被弾部と身体に面する部分をさらに含んでなり、前記第一被弾部が、一緒に積層された複数の前記織布層を含んでなり、前記芯部の前記第一被弾端面の上に積層され、前記身体に面する部分が、一緒に積層された複数の前記織布層を含んでなり、前記芯部の前記身体に面する面の上に積層された上記１に記載の物品。
１８．前記第一被弾部が、一緒に積層された２〜３０層の織布層を有し、前記身体に面する部分が、一緒に積層された２〜３０層の織布層を有する上記１７に記載の物品。
１９．前記芯部が、織布端面とシート端面を有し、前記芯部の前記シート端面の上に積層された少なくとも１層の前記織布層をさらに含んでなる上記１に記載の物品。
２０．前記芯部が、複数の芯部の細区分を含んでなり、芯部の細区分の各々が繰り返し単位を備える上記１に記載の物品。
２１．前記物品が、２０００年９月に発行された、ＮＩＪ規格−０１０１．０４「Ｂａｌｌｉｓｔｉｃ  Ｒｅｓｉｓｔａｎｃｅ  ｏｆ  Ｐｅｒｓｏｎａｌ  Ｂｏｄｙ  Ａｒｍｏｒ」に基づいた、１４３０フィート／秒プラスまたはマイナス（＋／−）３０フィート／秒（４３６ｍ／秒＋／−９ｍ／秒）の発射体の速度（Ｖo）で、４４ｍｍ以下の背面変形を有する上記１に記載の物品。
２２．前記織布層と前記シート層が、それらの表面積の１０％以下だけで一緒に接合され、前記層の残りの全てまたは大部分を隣接層に対して横に移動させるおよび／または離れさせる上記１に記載の物品。
２３．前記織布層と前記シート層が、一緒に積層され、２．５〜５．７ｋｇ／ｍ2の面密度を有する上記１に記載の物品。
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
酸官能性（メタ）アクリレートコポリマー及び以下の式
【化１】
2011523976.tif 000001
で表わされるアジリジン架橋剤、を含む、架橋性組成物であって、式中、Ｒ１は炭素１及び／又は炭素２に結合したＣ１〜Ｃ４アルキル基であり、ｚは０、１又は２であり、前記酸官能性（メタ）アクリレートコポリマーが、１００重量部の総モノマーを基準として、
ｉ．８５〜９９重量部の非第三級アルコールの（メタ）アクリル酸エステルと、
ｉｉ．１〜１５重量部の酸官能性エチレン性不飽和モノマーと、
ｉｉｉ．０〜１０重量部の非酸官能性、エチレン性不飽和極性モノマーと、
ｉｖ．０〜５部のビニルモノマーと、
ｖ．０〜５部の多官能性（メタ）アクリレートと、
を含む、架橋性組成物。
【請求項２】
１００部の前記コポリマーに対して０．００５〜５．０重量部のアジリジン架橋剤を含む、請求項１に記載の架橋性組成剤。
【請求項３】
前記コポリマーが１〜５重量部のアクリル酸と１〜５重量部の非酸官能性極性モノマーとを含む、請求項１に記載の架橋性接着剤。
【請求項４】
ビニルエステル、スチレン、置換スチレン、ビニルハロゲン化物、プロピオン酸ビニル、及びこれらの混合物から選択される１〜５重量部のビニルモノマーを含む、請求項１に記載の架橋性組成物。
【請求項５】
請求項１に記載の前記架橋性組成物を含む感圧接着剤。
【請求項６】
エマルションであって、
（ａ）前記エマルションの総重量を基準として３０〜約７０重量％の、請求項１に記載の前記架橋性接着剤と、
（ｂ）前記エマルションの総重量を基準として３０〜７０重量パーセントの、界面活性剤を含む水相と、を含む、エマルション。
【請求項７】
前記組成物のｐＨが≧４である、請求項６に記載のエマルション。
【請求項８】
ポリマーシロップ組成物であって、
ａ）第１の構成成分溶質ポリマーであって、
ｉ．８５〜９９重量部の非第三級アルコールの（メタ）アクリル酸エステルと、
ｉｉ．１〜１５重量部の酸官能性モノマーと、
ｉｉｉ．０〜１０重量部の第２の非酸官能性極性モノマーと、
ｉｖ．０〜５部のビニルモノマーと、を含む、第１の構成成分溶質ポリマー、
ｂ）少なくとも１つのフリーラジカル重合性溶媒モノマーを含む第２の構成成分、並びに、
以下の式
【化２】
2011523976.tif 000002
で表わされるアジリジン架橋剤であって、式中、
Ｒ１は炭素１及び／又は炭素２に結合したＣ１〜Ｃ４アルキル基であり、ｚは０、１又は２である、アジリジン架橋剤、を含む、ポリマーシロップ組成物。
【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
記録媒体上に画像を形成する方法であって、
前記記録媒体を受けるようにされた支持手段を設置するステップと、
複数の個別制御可能なマーキング要素を備える印刷ヘッドを制御して、前記画像に対応する画像データに従って前記記録媒体上に前記画像を形成するようにプログラムされたコントローラを設置するステップと、
前記印刷ヘッドを作動して、前記記録媒体上に複数のサブ画像を形成するステップと、を含み、前記複数のサブ画像は、少なくとも、前記画像の造作物の、前記複数のサブ画像の各サブ画像の中に形成可能な部分の寸法に基づいて決定される連結パターンによって相互に連結されて、前記画像が形成されることを特徴とする方法。
【請求項２】
請求項１に記載の方法であって、
前記造作物の前記部分の前記寸法を、前記連結パターンが延びる方向と交差する方向に沿って決定するステップを含むことを特徴とする方法。
【請求項３】
請求項１に記載の方法であって、
前記印刷ヘッドを作動して、前記記録媒体を走査方向に沿って走査させることによって前記記録媒体上に前記画像を形成するステップと、前記造作物の前記部分の前記寸法を、走査直交方向に沿って決定するステップと、を含むことを特徴とする方法。
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
ヘキサフルオロイソプロパノールを生成する連続方法であって、
（ａ）ヘキサフルオロアセトンを、混合装置中でヘキサフルオロイソプロパノールおよび水素と接触させて、液体フィード流を生成する工程と、
（ｂ）固定化された水素化触媒が入っている反応器に前記液体フィード流を導入して、前記ヘキサフルオロアセトンをヘキサフルオロイソプロパノールに変換し、生成物流を形成する工程と、
（ｃ）前記生成物流から前記ヘキサフルオロイソプロパノールの少なくとも一部を回収するステップと
を含み、前記生成物流の少なくとも一部は、一部分の前記生成物流を工程（ａ）の前記混合装置に再循環させることによってリサイクルされることを特徴とする方法。
【請求項２】
工程（ａ）の前に、前記混合装置および前記反応器にヘキサフルオロイソプロパノールを充填する工程を含むスタートアッププロセスをさらに含むことを特徴とする請求項１に記載の方法。
【請求項３】
工程（ａ）において、水素で飽和されたヘキサフルオロアセトンおよびヘキサフルオロイソプロパノールの溶液を生成するための量および速度で水素を添加することを特徴とする請求項１または２に記載の方法。
【請求項４】
水素が、２．１７〜１３．９ＭＰａの圧力を維持するようにフィードされることを特徴とする請求項１から３のいずれか一項に記載の方法。
【請求項５】
工程（ａ）において水素気泡を形成し、工程（ｂ）の前に前記気泡を分離する工程をさらに含むことを特徴とする請求項１から４のいずれか一項に記載の方法。
【請求項６】
フィード流中のヘキサフルオロイソプロパノールの濃度が８５から９８モル％であり、ヘキサフルオロアセトンの濃度が２から１５モル％であることを特徴とする請求項１から５のいずれか一項に記載の方法。
【請求項７】
接触工程を、フィード流の温度が７５℃〜１６０℃となるような温度で行い、水素化工程（ｂ）を、７５℃〜１６０℃の触媒床温度で行うことを特徴とする請求項１から６のいずれか一項に記載の方法。
【請求項８】
前記触媒が触媒金属および担体を含み、前記触媒金属が、クロム、モリブデン、タングステン、鉄、コバルト、ニッケル、銅、ルテニウム、ロジウム、パラジウム、オスミウム、イリジウム、および白金からなる群から選択され、前記担体が、アルミナ、シリカ、ジルコニア、活性炭、ケイ酸カルシウム、グラファイト、および珪藻土からなる群から選択されることを特徴とする請求項１から７のいずれか一項に記載の方法。
【請求項９】
前記触媒の触媒金属含有量が、前記触媒の全重量を基準として４５から６０重量％であることを特徴とする請求項８に記載の方法。
【請求項１０】
前記触媒の触媒金属含有量が、前記触媒の全重量を基準として０．５から１０重量％であることを特徴とする請求項８に記載の方法。
【手続補正２】
【補正対象書類名】明細書
【補正対象項目名】００８０
【補正方法】変更
【補正の内容】
【００８０】
表２から、ＨＦＩＰリサイクルを伴う連続反応器によって、広範囲の操作条件で高いＨＦＡ変換率（＞９９．５％）と共に高いＨＦＩＰ収率を実現できることがわかる。この性能は、向流操作と順流操作の両方で、かつ異なる触媒で得ることができる。ＨＦＩＰリサイクルによって、試験されたリサイクル速度が最も遅い場合でさえ、断熱充填床全体にわたって温度上昇が小さくなる（＜１５℃）。
以下に、本発明の好ましい態様を示す。
［１］  ヘキサフルオロイソプロパノールを生成する連続方法であって、
（ａ）ヘキサフルオロアセトンを、混合装置中でヘキサフルオロイソプロパノールおよび水素と接触させて、液体フィード流を生成する工程と、
（ｂ）固定化された水素化触媒が入っている反応器に前記液体フィード流を導入して、前記ヘキサフルオロアセトンをヘキサフルオロイソプロパノールに変換し、生成物流を形成する工程と、
（ｃ）前記生成物流から前記ヘキサフルオロイソプロパノールの少なくとも一部を回収する工程と
を含むことを特徴とする方法。
［２］  工程（ａ）の前に、前記混合装置および前記反応器にヘキサフルオロイソプロパノールを充填する工程を含むスタートアッププロセスをさらに含むことを特徴とする［１］に記載の方法。
［３］  工程（ａ）において、水素で飽和されたヘキサフルオロアセトンおよびヘキサフルオロイソプロパノールの溶液を生成するための量および速度で水素を添加することを特徴とする［１］または［２］に記載の方法。
［４］  水素が、２．１７〜１３．９ＭＰａの圧力を維持するようにフィードされることを特徴とする［１］から［３］のいずれか一項に記載の方法。
［５］  工程（ａ）において水素気泡を形成し、工程（ｂ）の前に前記気泡を分離する工程をさらに含むことを特徴とする［１］から［４］のいずれか一項に記載の方法。
［６］  フィード流中のヘキサフルオロイソプロパノールの濃度が８５から９８モル％であり、ヘキサフルオロアセトンの濃度が２から１５モル％であることを特徴とする［１］から［５］のいずれか一項に記載の方法。
［７］  接触工程を、フィード流の温度が７５℃〜１６０℃となるような温度で行い、水素化工程（ｂ）を７５℃〜１６０℃の触媒床温度で行うことを特徴とする［１］から［６］のいずれか一項に記載の方法。
［８］  前記触媒が触媒金属および担体を含み、前記触媒が触媒金属を含み、前記触媒金属が、クロム、モリブデン、タングステン、鉄、コバルト、ニッケル、銅、ルテニウム、ロジウム、パラジウム、オスミウム、イリジウム、および白金からなる群から選択され、前記担体が、アルミナ、シリカ、ジルコニア、活性炭、ケイ酸カルシウム、グラファイト、および珪藻土からなる群から選択されることを特徴とする［１］から［７］のいずれか一項に記載の方法。
［９］  前記触媒の触媒金属含有量が、前記触媒の全重量を基準として４５から６０重量％であることを特徴とする［８］に記載の方法。
［１０］  前記触媒の触媒金属含有量が、前記触媒の全重量を基準として０．５から１０重量％であることを特徴とする［８］に記載の方法。
【手続補正書】
【提出日】平成24年3月19日(2012.3.19)
【手続補正１】
【補正対象書類名】特許請求の範囲
【補正対象項目名】請求項９
【補正方法】変更
【補正の内容】
【請求項９】
下記のステップ：
（ｉ）４−ブロモ−３−フルオロ−トルエンを３，４−ジクロロフェニルボロン酸と反応させて３’，４’−ジクロロ−２−フルオロ−４−メチル−ビフェニルを形成させるステップと、
（ｉｉ）３’，４’−ジクロロ−２−フルオロ−４−メチル−ビフェニルをラジカル臭素化にかけて３’，４’−ジクロロ−２−フルオロ−４−ブロモメチル−ビフェニルを形成させるステップと、
（ｉｉｉ）３’，４’−ジクロロ−２−フルオロ−４−ブロモメチル−ビフェニルを対応する３’、４’−ジクロロ−２−フルオロ−４−シアノメチル−ビフェニルに変換するステップと、
（ｉｖ）３’，４’−ジクロロ−２−フルオロ−４−シアノメチル−ビフェニルを１，２−ジブロモエタンと反応させて１−（３’，４’−ジクロロ−２−フルオロ［１，１’−ビフェニル］−４−イル）−シクロプロパンニトリルを形成させるステップと、
（ｖ）１−（３’，４’−ジクロロ−２−フルオロ［１，１’−ビフェニル］−４−イル）−シクロプロパンニトリルを加水分解して１−（３’，４’−ジクロロ−２−フルオロ［１，１’−ビフェニル］−４−イル）−シクロプロパンカルボン酸を得るステップとを含む請求項８に記載の方法。
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
一般式（ＩＩＩａａ）、（ＩＩＩａｂ）、（ＩＶａａ）もしくは（ＩＶａｂ）
【化１】
2011523955.tif 000001
［式中、記号は、以下の意味を有する：
Ｘ1、Ｘ2は、互いに無関係に、ＣＲ1、ＣＨ、Ｎ、ＳもしくはＯを意味するが、但し、基Ｘ1もしくはＸ2の正確に１個は、ＳもしくはＯを意味する；
Ｙ1、Ｙ3は、互いに無関係に、ＣＲ1、ＣＨ、Ｎ、ＮＲ2、ＳもしくはＯを意味する；
Ｙ4、Ｙ5は、互いに無関係に、ＣもしくはＮを意味する；
Ｗ1、Ｗ2、Ｗ3は、互いに無関係に、ＣＲ1、ＣＨ、Ｎ、ＳもしくはＯを意味するが、但し、基Ｗ1、Ｗ2もしくはＷ3の正確に１個は、Ｏを意味する；
Ｖ4、Ｖ5は、互いに無関係に、ＣもしくはＮを意味する；
Ｖ1、Ｖ3は、互いに無関係に、ＣＲ1、ＣＨ、Ｎ、ＮＲ2、ＳもしくはＯを意味する；
Ｒ1は、互いに無関係に、非置換もしくは置換のアルキル、非置換もしくは置換のシクロアルキル、非置換もしくは置換のヘテロシクロアルキル、非置換もしくは置換のアリール、非置換もしくは置換のヘテロアリール、非置換もしくは置換のアルケニル、非置換もしくは置換のシクロアルケニル、非置換もしくは置換のアルキニル、ＳｉＲ33、ハロゲン、ドナー作用もしくはアクセプター作用を有する置換基を意味し、更に、２個の基Ｒ1は、一緒になって、１個のアルキレン架橋もしくはアリーレン架橋を形成してよい；
Ｒ2は、互いに無関係に、非置換もしくは置換のアルキル、非置換もしくは置換のアリール又は非置換もしくは置換のヘテロアリールを意味し、更に、２個の基Ｒ2もしくは１個の基Ｒ2及び１個の基Ｒ1は、一緒になって、１個のアルキレン架橋もしくはアリーレン架橋を形成してよい；
Ｒ3は、互いに無関係に、非置換もしくは置換のアルキル、非置換もしくは置換のアリール又は非置換もしくは置換のヘテロアリールを意味する；
Ｍは、元素の周期律表（ＣＡＳ版）の第ＩＢ族、第ＩＩＢ族、第ＩＩＩＢ族、第ＩＶＢ族、第ＶＢ族、第ＶＩＢ族、第ＶＩＩＢ族、第ＶＩＩＩ族の遷移金属からなる群から選択される金属原子であって、それぞれ相応の金属原子について可能な酸化段階のものを意味する；
【化２】
2011523955.tif 000002
は、二座のモノアニオン性の配位子を意味する；
ｏは、１、２、３もしくは４を意味する；
ｐ′は、０、１もしくは２を意味し、その際、ｐ′は、配位子
【化３】
2011523955.tif 000003
の数を意味する；
その際、ｏ及びｐ′は、使用される金属原子の酸化段階及び配位数に依存する］で示される金属錯体。
【請求項２】
Ｙ4が、Ｎを意味し、かつ／又はＹ1がＣＨを意味し、かつ／又はＹ3が、ＣＲ1を意味し、かつ／又はＹ5が、Ｃを意味することを特徴とする、請求項１に記載の金属錯体。
【請求項３】
Ｒ1が、互いに無関係に、非置換もしくは置換のアルキル、非置換もしくは置換のアリール、非置換もしくは置換のヘテロアリール、ＳｉＲ33、Ｆ、ＯＲ3、ＳＲ3、ＮＲ32、ＣＦ3もしくはＣＮを意味し、Ｒ2が、互いに無関係に、非置換もしくは置換のアルキル、非置換もしくは置換のアリール又は非置換もしくは置換のヘテロアリールを意味するか、又は２個の基Ｒ2もしくは１個の基Ｒ2及び１個の基Ｒ1が、一緒になって、１個の置換されていてよいアルキレン架橋もしくはアリーレン架橋を形成してよく、かつＲ3が、互いに無関係に、非置換もしくは置換のアルキル又は非置換もしくは置換のアリール、非置換もしくは置換のヘテロアリールを意味することを特徴とする、請求項１又は２に記載の金属錯体。
【請求項４】
二座のモノアニオン性の配位子中のＬが、それぞれ互いに無関係に、Ｏ、Ｎ及びＣから選択されることを特徴とする、請求項１から３までのいずれか１項に記載の金属錯体。
【請求項５】
Ｍは、Ｉｒ（ＩＩＩ）もしくはＰｔ（ＩＩ）を意味し、ｏは、Ｍ＝Ｉｒ（ＩＩＩ）の場合に、１、２もしくは３を意味し、Ｍ＝Ｐｔ（ＩＩ）の場合に、１もしくは２を意味し、ｐ′は、Ｍ＝Ｉｒ（ＩＩＩ）の場合に、０、１もしくは２を意味し、Ｍ＝Ｐｔ（ＩＩ）の場合に、０もしくは１を意味し、その際、合計ｏ＋ｐ′は、Ｍ＝Ｉｒ（ＩＩＩ）の場合に３を意味し、かつＭ＝Ｐｔ（ＩＩ）の場合に２を意味し、かつｏは、少なくとも１であることを特徴とする、請求項１又は４に記載の金属錯体。
【請求項６】
請求項１から５までのいずれか１項に記載の少なくとも１種の金属錯体を含む有機発光ダイオード。
【請求項７】
請求項１から５までのいずれか１項に記載の少なくとも１種の金属錯体を含む発光層。
【請求項８】
請求項７に記載の少なくとも１つの発光層を含む有機発光ダイオード。
【請求項９】
請求項６又は８に記載の少なくとも１つの有機発光ダイオードを含む、定置式ディスプレイ、標識板及び可動式ディスプレイからなる群から選択される装置。
【手続補正書】
【提出日】平成24年5月23日(2012.5.23)
【手続補正１】
【補正対象書類名】特許請求の範囲
【補正対象項目名】請求項６
【補正方法】変更
【補正の内容】
【請求項６】
白金含有触媒に対して接触毒として働く化合物の、シリコーン・コートを設けたライナー上にあるアクリレート系感圧性接着剤中での使用であって、前記ライナーを前記接着剤から引き剥がすのに要する剥離力を調節するために使用する、化合物の使用。 
【手続補正２】
【補正対象書類名】明細書
【補正対象項目名】０１６６
【補正方法】変更
【補正の内容】
【０１６６】
調べた接触毒は、本発明の課題を優れて解決するのに適しており、感圧性接着剤のそれぞれの使用目的に対する適性に何らの実質的な影響を及ぼすこともなかった。チオ化合物、特にドデシルメルカプタン、ジドデシル−３，３'−チオプロピオナート、２−エチルヘキシルチオグリコラートおよびペンタエリトリトールテトラ（３−メルカプトプロピオナート）が接触毒として抜きんでて適していることが判明した。これらの化合物は、接着剤のそれぞれの使用分野においての接着性能にほとんど影響しなかった。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
プロピレンポリマーをオレフィンインターポリマーとカップリングさせるための方法であって、１８０〜２５０℃の温度を有する反応処理条件下で、
Ａ．プロピレン由来単位を９０モル％以上含有する少なくとも１種のプロピレンポリマーを少なくとも１０重量％と、
Ｂ．極低密度ポリエチレン；均一に分岐した、直鎖エチレン／α−オレフィンコポリマー；均一に分岐した、実質的に直鎖のエチレン／α−オレフィンポリマー；直鎖中密度ポリエチレン；直鎖低密度ポリエチレン；超低密度ポリエチレンおよびオレフィンマルチブロックコポリマーからなる群より選択される少なくとも１種のオレフィンインターポリマーを少なくとも１０重量％と、
Ｃ．水酸化アルミニウムおよび水酸化マグネシウムのうちの少なくとも１種を少なくとも３５重量％と、
Ｄ．ビニルシランを０．１〜６重量％と、
Ｅ．任意選択で、１種以上の添加剤と
を接触させるステップを含む方法。
【請求項２】
前記オレフィンインターポリマーが、少なくとも８０重量％のエチレン由来単位含量および少なくとも０．８７０ｇ／ｃｍ３の密度を有する、均一に分岐した、実質的に直鎖のエチレン／α−オレフィンポリマーである、請求項１に記載の方法。
【請求項３】
酸化防止剤が、前記プロピレンポリマー、オレフィンインターポリマーおよび金属水和物の合わせた重量を基準として、０．１重量％から５重量％の量で存在する、請求項１または２に記載の方法。
【請求項４】
請求項１から３のいずれかに記載の方法により作製される組成物。
【請求項５】
ワイヤまたはケーブル絶縁シースの形態である、請求項４に記載の組成物。
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
重鎖（ＨＣ）免疫グロブリン可変ドメイン配列及び軽鎖（ＬＣ）免疫グロブリン可変ドメイン配列を含む単離抗体であって、
重鎖及び軽鎖免疫グロブリン可変ドメイン配列が、ヒトＦｃＲｎに結合する抗原結合部位を形成し；以下の特徴の１以上を有する抗体：
（ａ）ヒトＣＤＲ又はヒトフレームワーク領域；
（ｂ）ＬＣ免疫グロブリン可変ドメイン配列が、Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１、のＬＣ可変ドメインのＣＤＲと少なくとも８５％同一である１つ以上のＣＤＲを含む；
（ｃ）ＨＣ免疫グロブリン可変ドメイン配列が、Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１、のＨＣ可変ドメインのＣＤＲと少なくとも８５％同一である１つ以上のＣＤＲを含む；
（ｄ）ＬＣ免疫グロブリン可変ドメイン配列が、Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１のＬＣ可変ドメインと少なくとも８５％同一である；
（ｅ）ＨＣ免疫グロブリン可変ドメイン配列が、Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１のＨＣ可変ドメインと少なくとも８５％同一である；及び
（ｆ）抗体が、Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１の結合するエピトープと重複するエピトープに結合する。
【請求項２】
（ａ）Ｍ０１６１−Ｂ０４、Ｍ０１７１−Ａ０１、ＤＸ２５００、Ｍ０１７１−Ａ０３、Ｍ０１５９−Ａ０７、およびＭ００９０−Ｆ１１からなる群から選択される；
（ｂ）Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１のＣＤＲを有する；または
（ｃ）Ｍ０１６１−Ｂ０４、Ｍ０１７１−Ａ０１、ＤＸ２５００、Ｍ０１７１−Ａ０３、Ｍ０１５９−Ａ０７、およびＭ００９０−Ｆ１１からなる群から選ばれる抗体と少なくとも８５％同一である、単離抗体。
【請求項３】
（ａ）ＨＣ可変ドメイン配列がＭ０１６１−Ｂ０４の可変ドメインの配列を有し、LC可変ドメインの配列がＭ０１６１−Ｂ０４の可変ドメインの配列を有する；
（ｂ）ＨＣ可変ドメイン配列がＭ０１７１−Ａ０１の可変ドメインの配列を有し、LC可変ドメインの配列がＭ０１７１−Ａ０１の可変ドメインの配列を有する；
（ｃ）ＨＣ可変ドメイン配列がＤＸ２５００の可変ドメインの配列を有し、LC可変ドメインの配列がＭ０ＤＸ２５００の可変ドメインの配列を有する；
（ｄ）ＨＣ可変ドメイン配列がＭＭ０１７１−Ａ０３の可変ドメインの配列を有し、LC可変ドメインの配列がＭ０１７１−Ａ０３の可変ドメインの配列を有する；
（ｅ）ＨＣ可変ドメイン配列がＭＭ０１５９−Ａ０７の可変ドメインの配列を有し、LC可変ドメインの配列がＭ０１５９−Ａ０７の可変ドメインの配列を有する；または
（ｆ）ＨＣ可変ドメイン配列がＭ００９０−Ｆ１１の可変ドメインの配列を有し、LC可変ドメインの配列がＭ００９０−Ｆ１１の可変ドメインの配列を有する、請求項１の抗体。
【請求項４】
Ｍ０１６１−Ｂ０４、Ｍ０１７１−Ａ０１、ＤＸ２５００、Ｍ０１７１−Ａ０３、Ｍ０１５９−Ａ０７、またはＭ００９０−Ｆ１１と結合されるＦｃＲｎエピトープと結合する請求項１の抗体。
【請求項５】
ヒトＦｃＲｎに結合する単離抗体またはその断片であって、前記抗体がヒトＦｃＲｎの重鎖またはその断片に対して産生され、前記抗体がＩｇＧのヒトＦｃＲｎへの結合の非競合的阻害剤として機能し、前記抗体がβ２−マイクログロブリンに結合しない、単離抗体又はその断片。
【請求項６】
請求項１から５のいずれか一項に記載の抗体と、薬学的に許容できる担体とを含む医薬組成物。
【請求項７】
試料中のＦｃＲｎを検出する方法であって、前記試料を請求項１から５のいずれか一項に記載の抗体と接触させることと、前記抗体と、存在する場合ＦｃＲｎとの間の相互作用を検出することとを含む方法。
【請求項８】
ＦｃＲｎ活性を調節する方法であって、請求項１から５のいずれか一項に記載の抗体とＦｃＲｎとを接触させ、それによりＦｃＲｎ活性を調節することを含む方法。
【請求項９】
ヒト対象においてＦｃＲｎ活性の調節に使用するための請求項１から５のいずれか一項に記載の抗体。
【請求項１０】
自己免疫障害の治療及び／又は自己免疫障害の症状の調節に使用するための請求項１から５のいずれか一項に記載の抗体。
【請求項１１】
自己免疫障害が、関節リウマチ（ＲＡ）、全身性エリテマトーデス（ＳＬＥ）、重症筋無力症（ＭＧ）、グレーブス病、特発性血小板減少性紫斑病（ＩＴＰ）、ギランバレー症候群、自己免疫性心筋炎、膜型糸球体腎炎、真性糖尿病、Ｉ型又はＩＩ型糖尿病、多発性硬化症、レイノー症候群、自己免疫性甲状腺炎、胃炎、セリアック病、白斑、肝炎、原発性胆汁性肝硬変、炎症性腸疾患、脊椎関節症、実験的自己免疫性脳脊髄炎、免疫性好中球減少症、若年発症糖尿病、サイトカイン仲介性遅延型過敏症に関連する免疫反応、典型的には結核で見られるＴリンパ球、サルコイドーシス、多発性筋炎、多発性動脈炎、皮膚血管炎、天疱瘡、類天疱瘡、グッドパスチャー症候群、川崎病、全身性硬化症、抗リン脂質症候群、及びシェーグレン症候群から成る群から選択される、請求項１０の抗体。
【請求項１２】
循環ＩｇＧの半減期／量を調節するのに使用する請求項１から５のいずれかに記載の抗体。
【請求項１３】
個体中の不所望の抗体濃度を低下させるのに使用する請求項１から５のいずれかに記載の抗体またはその断片。
【請求項１４】
不所望の抗体がナタリズマブである請求項１３の抗体またはその断片。
【請求項１５】
ヒトFcRnに結合する抗体またはその断片であって、ヒトＦｃＲｎの重鎖またはその断片に対して産生され、前記抗体がＩｇＧのヒトＦｃＲｎへの結合の非競合的阻害剤として機能し、前記抗体がβ２−マイクログロブリンに結合せず、個体におけるIgGのFcRnへの結合を減少させるために使用する、抗体又はその断片。
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
試料採取装置であって、
シャフトと、
前記シャフトに結合される多孔質媒質と、を含み、
前記多孔質媒質は、保湿剤として１，２−プロパンジオールを含む水溶液を含む、装置。
【請求項２】
試料採取物品であって、
第１末端部と、前記第１末端部に対向する第２末端部とを有するハウジングと、
そこに配置される試料採取装置であって、
シャフトと、
前記シャフトに結合される多孔質媒質であって、前記多孔質媒質が、保湿剤として１，２−プロパンジオールを含む水溶液を含む、媒質とを含み、
前記ハウジングの前記第１末端部が、前記試料採取装置を受容するように適応される、物品。
【請求項３】
試料中の検体を検出する方法であって、
シャフトと、前記シャフトに結合される多孔質媒質とを含む試料採取装置を提供する工程であって、前記多孔質媒質が、保湿剤として１，２−プロパンジオールを含む水溶液を含み、前記多孔質媒質が、表面から試料を採取するように適応される、工程と、
前記試料採取装置を表面と接触させて試料を得る工程と、
前記検体を検出する工程と、を含む方法。